(57)【要約】【課題】簡易かつ短期間に作製でき、しかも十分な耐久力を有する捕捉体及びその捕捉体を作製できる捕捉体用ブロックを提供することである。【解決手段】捕捉体１は、河川の上流から流されてくる流動物を捕捉する捕捉部３と、河川の上下流方向に並べられる複数のブロック２と、複数のブロック２のうち少なくとも１つと捕捉部３とを連結する第１連結部材４と、複数のブロック２を連結する第２連結部材５と、を備える。複数のブロック２は、上流側に位置する上流面２２と、下流側に位置する下流面２３と、を有する。第２連結部材５は、前記上下流方向に隣り合うブロック２において、上流側に位置するブロック２の下流面２３と、下流側に位置するブロック２の上流面２２と、を連結するように構成されている。【選択図】図７
2020139362.tif 000002
【特許請求の範囲】
【請求項１】
河川の上流から流されてくる流動物を捕捉する捕捉部と、
河川の上下流方向に並べられる複数のブロックと、
前記複数のブロックのうち少なくとも１つと前記捕捉部とを連結する第１連結部材と、
前記複数のブロックを連結する第２連結部材と、を備え、
前記複数のブロックは、上流側に位置する上流面と、下流側に位置する下流面と、を有し、
前記第２連結部材は、前記上下流方向に隣り合うブロックにおいて、上流側に位置するブロックの前記下流面と、下流側に位置するブロックの前記上流面と、を連結するように構成されている、
捕捉体。
【請求項２】
前記第１連結部材は、前記複数のブロックの上面に設けられた上面連結具と、前記上面連結具と前記捕捉部とを連結する可撓性の捕捉部連結用索状体と、を有する、
請求項１に記載の捕捉体。
【請求項３】
前記複数のブロックの上面は、内部に向けて凹む上面凹部を有し、
前記上面連結具は、前記上面凹部内に配置されている、
請求項２に記載の捕捉体。
【請求項４】
前記第２連結部材は、前記上流面に設けられた上流面連結具と、前記下流面に設けられた下流面連結具と、前記上流面連結具と前記下流面連結具とを連結する可撓性のブロック連結用索状体と、を有する、
請求項１〜３のいずれか１項に記載の捕捉体。
【請求項５】
前記上流面連結具と前記下流面連結具は、前記上流面と前記下流面における左右方向の端部に配置されている、
請求項４に記載の捕捉体。
【請求項６】
前記上流面連結具は、前記上流面において前記ブロックの内部に向けて凹む上流面凹部内に配置され、
前記下流面連結具は、前記下流面において前記ブロックの内部に向けて凹む下流面凹部内に配置されている、
請求項４又は５に記載の捕捉体。
【請求項７】
前記上流面連結具と前記下流面連結具は、前記上下方向に貫通するチェーン通孔を有する、
請求項４〜６のいずれか１項に記載の捕捉体。
【請求項８】
前記複数のブロックの前記上面は、上方に突出する嵌合凸部を有し、
前記複数のブロックの下面は、前記ブロックの内部に向けて凹み、前記凸部と嵌合する形状の嵌合凹部を有する、
請求項１〜７のいずれか１項に記載の捕捉体。
【請求項９】
前記複数のブロックは、前記上流面および前記下流面に凹設されるとともに、左右側面と上面とのうちの少なくとも一方まで切り欠かれた第１連結用凹部を有し、
前記第２連結部材は、ボルト通孔を有し、前記上流面に設けられた上流面連結具と、ボルト通孔を有し、前記下流面に設けられた下流面連結具と、前記第１連結用凹部内に配置され、前記ボルト通孔に前記上下流方向に挿通されるボルトと、前記第１連結用凹部内において前記ボルトと螺合するナットと、を有する、
請求項１に記載の捕捉体。
【請求項１０】
前記複数のブロックは、前記左右側面に凹設されるとともに、前記上下流面と上面とのうちの少なくとも一方まで切り欠かれた第２連結用凹部を有し、
ボルト通孔を有し、左側面に設けられた左側面連結具と、ボルト通孔を有し、右側面に設けられた右側面連結具と、前記第２連結用凹部内に配置され、前記ボルト通孔に前記左右方向に挿通されるボルトと、前記第２連結用凹部内において前記ボルトと螺合するナットと、を有する第３連結部材を更に備える、
請求項９に記載の捕捉体。
【請求項１１】
前記複数のブロックは、その上面に凹設されるとともに、前記上下流面と前記左右側面とのうちの少なくとも一方まで切り欠かれた第３連結用凹部を有し、
ボルト通孔を有し、前記上面に設けられた上面連結具と、前記第３連結用凹部内に配置され、前記ボルト通孔に前記上下方向に挿通されるボルトと、前記第３連結用凹部内において前記ボルトと螺合するナットと、を有する第４連結部材を更に備える、
請求項９又は１０に記載の捕捉体。
【請求項１２】
河川の上流から流されてくる流動物を捕捉する捕捉部と、
河川の上下流方向に並べられる複数のブロックと、
前記複数のブロックのうち少なくとも１つと前記捕捉部とを連結する第１連結部材と、
前記複数のブロックを前記上下流方向に貫通し、前記複数のブロックを前記上下流方向に連結する上下流方向連結用鋼材と、を備える、
捕捉体。
【請求項１３】
前記複数のブロックを上下方向に貫通し、前記複数のブロックを上下方向に連結する上下方向連結用鋼材と、前記複数のブロックを前記上下流方向かつ前記上下方向に直交する左右方向に貫通し、前記複数のブロックを前記左右方向に連結する左右方向連結用鋼材と、のうちの少なくとも一方を更に備える、
請求項１２に記載の捕捉体。
【請求項１４】
前記複数のブロックは、上面から下方向に延びる連結用穴を有し、
前記第１連結部材は、前記連結用穴に固定された雌ねじ部材と、前記雌ねじ部材に螺合したアンカーボルトと、前記アンカーボルトに取り付けられるとともに、前記捕捉部を固定する捕捉部固定用チェーンと、を有する、
請求項９〜１３のいずれか１項に記載の捕捉体。
【請求項１５】
河川の上流から流されてくる流動物を捕捉する捕捉部にかかる負荷を受ける重量物として使用される捕捉体用ブロックであって、
ブロックと、そのブロックの上面に設けられ、前記捕捉部に連結可能な可撓性の捕捉部連結用索状体を連結可能な上面連結具と、前記ブロックにおいて上流方向に配置される上流面に設けられ、ブロック連結用索状体を連結可能な上流面連結具と、前記ブロックにおいて下流方向に配置される下流面に設けられ、ブロック連結用索状体を連結可能な下流面連結具と、を備える、
捕捉体用ブロック。
【請求項１６】
前記上流面連結具と前記下流面連結具は、前記上流面と前記下流面における左右方向の端部に配置されている、
請求項１５に記載の捕捉体用ブロック。
【請求項１７】
前記ブロックの上面は、内部に向けて凹む上面凹部を有し、
前記上面連結具は、前記上面凹部内に配置されている、
請求項１５又は１６に記載の捕捉体用ブロック。
【発明の詳細な説明】
【技術分野】
【０００１】
本発明は、捕捉体および捕捉体用ブロックに関する。
【背景技術】
【０００２】
従来から、河川の上流から流れてくる流木などを捕捉するために、河川の河床に設置される捕捉体が知られている（例えば、特許文献１参照）。特許文献１の捕捉体は、堰堤の延在方向に沿って延在する１本の梁部と、この梁部の延在方向に沿って所定間隔おきに複数個連結された柱部と、柱部を保持する基礎部と、を備えている。
【０００３】
柱部は、河床に打設されたコンクリートに固定されている。柱部をコンクリートに固定するには、柱部の下端部をコンクリートに埋設した状態でコンクリートが固化するまで養生することによってコンクリートに一体化されている。固化したコンクリートは、基礎部となって捕捉体の一部を形成している。
【先行技術文献】
【特許文献】
【０００４】
【特許文献１】特開２０１７−７２０２０号公報
【発明の概要】
【発明が解決しようとする課題】
【０００５】
上記捕捉体では、コンクリートを打設するための掘削穴を掘削する作業や掘削穴にコンクリートを打設する作業、さらに、コンクリートが固化するまでの養生期間が必要になるので、捕捉体の設置作業が煩雑であり、設置工期が長くなるという問題がある。
【０００６】
そこで、本発明は、上記の課題に基づいてなされたものであり、その目的は、簡易かつ短期間に作製でき、しかも十分な耐久力を有する捕捉体及びその捕捉体を作製できる捕捉体用ブロックを提供することである。
【課題を解決するための手段】
【０００７】
本発明に係る捕捉体は、河川の上流から流されてくる流動物を捕捉する捕捉部と、河川の上下流方向に並べられる複数のブロックと、前記複数のブロックのうち少なくとも１つと前記捕捉部とを連結する第１連結部材と、前記複数のブロックを連結する第２連結部材と、を備える。前記複数のブロックは、上流側に位置する上流面と、下流側に位置する下流面と、を有する。前記第２連結部材は、前記上下流方向に隣り合うブロックにおいて、上流側に位置するブロックの前記下流面と、下流側に位置するブロックの前記上流面と、を連結するように構成されている。
【０００８】
この構成によれば、第１連結部材によって捕捉部とブロックとを連結し、第２連結部材によって複数のブロックを連結することができるので、捕捉体の作製には、河床にコンクリートを打設したり、コンクリートが固化するまで養生させたりする必要がない。そのため、捕捉体を簡易かつ短期間に作製できる。さらに、第２連結部材は、上下流方向に隣り合うブロックにおいて、上流側に位置するブロックの前記下流面と、下流側に位置するブロックの上流面と、を連結するように構成されているので、上下流方向に並ぶ複数のブロックを重量物とすることができる。そのため、重量物としてのブロックの重量を確保することが容易になるので、十分な耐久力を有する捕捉体を提供することができる。
【０００９】
上記構成において、前記第１連結部材は、前記複数のブロックの上面に設けられた上面連結具と、前記上面連結具と前記捕捉部とを連結する可撓性の捕捉部連結用索状体と、を有してもよい。
【００１０】
この構成によれば、捕捉部とブロックとが可撓性の捕捉部連結用索状体によって連結されるので、捕捉部に流動物が衝突したときに、捕捉部がブロックに対してずれることが許容される。そのため、捕捉部とブロックとがボルトとナット等によって固定されている場合に比べて、捕捉部のブロックに対するずれによるブロックの歪を抑制することができる。
【００１１】
上記構成において、前記複数のブロックの上面は、内部に向けて凹む上面凹部を有してもよい。前記上面連結具は、前記上面凹部内に配置されていてもよい。
【００１２】
この構成によれば、上面連結具は、上面凹部内に配置されているので、複数のブロックを上下方向に積み重ねる際に、捕捉部を連結するための上面連結具にその上側に位置するブロックが接触しない。そのため、複数のブロックを安定的に上下方向に積み重ねることができるので、複数のブロックを上下方向に積み重ねることによるブロックの重量の確保が容易になる。
【００１３】
上記構成において、前記第２連結部材は、前記上流面に設けられた上流面連結具と、前記下流面に設けられた下流面連結具と、前記上流面連結具と前記下流面連結具とを連結する可撓性のブロック連結用索状体と、を有してもよい。
【００１４】
この構成によれば、複数のブロックは、可撓性のブロック連結用索状体によって連結されるので、河川工事などによる河床の変化（例えば、沈下）により、上下流方向に隣り合うブロックの位置がずれても、この位置のずれが許容される。そのため、上下流方向に隣り合うブロック同士がボルトとナット等によって固定されている場合に比べて、ブロック同士のずれによるブロックの歪を抑制することができる。
【００１５】
上記構成において、前記上流面連結具と前記下流面連結具は、前記上流面と前記下流面における左右方向の端部に配置されていてもよい。
【００１６】
この構成によれば、複数のブロックを左右方向に並べた場合、左右方向に隣り合うブロックの上流面連結具同士および下流面連結具同士が近接する。そのため、前記上流面連結具と前記下流面連結具は、上下流方向に隣り合うブロック同士の連結に利用できるだけでなく、左右方向に隣り合うブロックの上流面連結具同士および下流面連結具同士の連結にも利用することができるようになる。したがって、重量物としてのブロックの重量を確保することが容易になる。
【００１７】
上記構成において、前記上流面連結具は、前記上流面において前記ブロックの内部に向けて凹む上流面凹部内に配置されていてもよい。前記下流面連結具は、前記下流面において前記ブロックの内部に向けて凹む下流面凹部内に配置されていてもよい。
【００１８】
この構成によれば、上流面連結具は上流面凹部内に配置され、下流面連結具は下流面凹部内に配置されているので、上下流方向に隣り合うブロックにおける上流面連結具が上流側のブロックに干渉しないとともに、下流面連結具が下流側のブロックに干渉しない。そのため、上下流方向に隣り合うブロック同士を上下流方向に近接して配置することができるので、少ない設置面積で重量物としてのブロックの重量を確保することができる。
【００１９】
上記構成において、前記上流面連結具と前記下流面連結具は、前記上下方向に貫通するチェーン通孔を有してもよい。
【００２０】
この構成によれば、上下方向に積み重ねたブロックにおける上流面連結具のチェーン通孔および下流面連結具のチェーン通孔に一括してチェーンを挿通させることができるので、上下方向に積み重ねられた複数のブロックを上下方向に一括して連結することができる。そのため、上下方向に積み重ねた複数のブロックの連結作業が容易になる。
【００２１】
上記構成において、前記複数のブロックの前記上面は、上方に突出する嵌合凸部を有してもよい。前記複数のブロックの下面は、前記ブロックの内部に向けて凹み、前記凸部と嵌合する形状の嵌合凹部を有してもよい。
【００２２】
この構成によれば、複数のブロックを上下方向に積み重ねるときに、下側のブロックの嵌合凸部に上側のブロックの嵌合凹部を嵌め込むことができるので、嵌合凸部と嵌合凹部との間の嵌合により、上下方向に積み重ねたブロックの位置がずれにくくなる。そのため、河川の上流から流されてくる流動物に対してブロックの抵抗力が強くなる。
【００２３】
上記構成において、前記複数のブロックは、前記上流面および前記下流面に凹設されるとともに、左右側面と上面とのうちの少なくとも一方まで切り欠かれた第１連結用凹部を有してもよい。前記第２連結部材は、ボルト通孔を有し、前記上流面に設けられた上流面連結具と、ボルト通孔を有し、前記下流面に設けられた下流面連結具と、前記第１連結用凹部内に配置され、前記ボルト通孔に前記上下流方向に挿通されるボルトと、前記第１連結用凹部内において前記ボルトと螺合するナットと、を有してもよい。
【００２４】
この構成によれば、上流面連結具と下流面連結具とを連結するボルトとナットが第１連結用凹部内に配置されているので、上下流方向に並べられるブロックを上下流方向に近接させて一体化することができる。また、上下流方向に隣接するブロックは、ボルトとナットによって一体化されるので、上下流方向に隣り合うブロックを、可撓性のブロック連結用索状体によって連結する場合に比べて、ブロックの位置がずれにくい。上流面連結具と下流面連結具との連結は、上流面連結具のボルト通孔と下流面連結具のボルト通孔とを上下流方向に対向させた状態で、第１連結用凹部における左右方向または上方から第１連結用凹部を通して両ボルト通孔にボルトを挿通させてナットで締め付けることにより行うことができる。
【００２５】
上記構成において、前記複数のブロックは、前記左右側面に凹設されるとともに、前記上下流面と上面とのうちの少なくとも一方まで切り欠かれた第２連結用凹部を有してもよい。前記捕捉体は、ボルト通孔を有し、左側面に設けられた左側面連結具と、ボルト通孔を有し、右側面に設けられた右側面連結具と、前記第２連結用凹部内に配置され、前記ボルト通孔に前記左右方向に挿通されるボルトと、前記第２連結用凹部内において前記ボルトと螺合するナットと、を有する第３連結部材を更に備えてもよい。
【００２６】
この構成によれば、左側面連結具と右側面連結具とを連結するボルトとナットが第２連結用凹部内に配置されているので、左右方向に並べられるブロックを左右方向に近接させて一体化することができる。そのため、重量物としてのブロックの重量を確保しやすくなる。また、左右方向に隣接するブロックは、ボルトとナットによって一体化されるので、左右方向に隣り合うブロックを、可撓性のブロック連結用索状体によって連結する場合に比べて、ブロックの位置がずれにくい。左側面連結具と右側面連結具との連結は、左側面連結具のボルト通孔と右側面連結具のボルト通孔とを左右方向に対向させた状態で、第２連結用凹部における上下流方向または上方から第２連結用凹部を通して両ボルト通孔にボルトを挿通させてナットで締め付けることにより行うことができる。
【００２７】
上記構成において、前記複数のブロックは、その上面に凹設されるとともに、前記上下流面と前記左右側面とのうちの少なくとも一方まで切り欠かれた第３連結用凹部を有してもよい。前記捕捉体は、ボルト通孔を有し、前記上面に設けられた上面連結具と、前記第３連結用凹部内に配置され、前記ボルト通孔に前記上下方向に挿通されるボルトと、前記第３連結用凹部内において前記ボルトと螺合するナットと、を有する第４連結部材を更に備えてもよい。
【００２８】
この構成によれば、上面連結具同士を連結するボルトとナットが第３連結用凹部内に配置されているので、上下方向に積み重ねられるブロックを上下方向に近接させて一体化することができる。そのため、ブロックを積み重ねた状態を安定化させることができる。また、上下方向に隣接するブロックは、ボルトとナットによって一体化されるので、左右方向に隣り合うブロックを、可撓性のブロック連結用索状体によって連結する場合に比べて、ブロックの位置がずれにくい。上面連結具同士の連結は、上側の上面連結具のボルト通孔と下側の上面連結具のボルト通孔とを上下方向に対向させた状態で、第３連結用凹部における上下流方向または左右方向から第３連結用凹部を通して両ボルト通孔にボルトを挿通させてナットで締め付けることにより行うことができる。
【００２９】
本発明に係る捕捉体は、河川の上流から流されてくる流動物を捕捉する捕捉部と、河川の上下流方向に並べられる複数のブロックと、前記複数のブロックのうち少なくとも１つと前記捕捉部とを連結する第１連結部材と、前記複数のブロックを前記上下流方向に貫通し、前記複数のブロックを前記上下流方向に連結する上下流方向連結用鋼材と、を備える。
【００３０】
この構成によれば、第１連結部材によって捕捉部とブロックとを連結し、鋼材によって複数のブロックを連結するので、捕捉体の作製には、河床にコンクリートを打設したり、コンクリートが固化するまで養生させたりする必要がない。そのため、捕捉体を簡易かつ短期間に作製できる。さらに、複数のブロックを上下流方向に貫通し、複数のブロックを上下流方向に連結する鋼材を備えるので、上下流方向に並ぶ複数のブロックを一体化することができる。そのため、重量物としてのブロックの重量を確保しやすくなるので、十分な耐久力を有する捕捉体を提供することができる。
【００３１】
上記構成において、前記複数のブロックを上下方向に貫通し、前記複数のブロックを上下方向に連結する上下方向連結用鋼材と、前記複数のブロックを前記上下流方向かつ前記上下方向に直交する左右方向に貫通し、前記複数のブロックを前記左右方向に連結する左右方向連結用鋼材と、のうちの少なくとも一方を更に備えてもよい。
【００３２】
この構成によれば、複数のブロックを上下流方向かつ上下方向に直交する左右方向に貫通し、複数のブロックを左右方向に連結する左右方向連結用鋼材を捕捉体が備える場合には、左右方向に隣接する複数のブロックを重量物とすることができるので、重量物としてのブロックの重量が確保しやすくなる。また、複数のブロックを上下方向に貫通し、複数のブロックを上下方向に連結する上下方向連結用鋼材を備える場合には、複数のブロックを上下方向に積み重ねた状態を安定化させることができる。
【００３３】
上記構成において、前記複数のブロックは、上面から下方向に延びる連結用穴を有してもよい。前記第１連結部材は、前記連結用穴に固定された雌ねじ部材と、前記雌ねじ部材に螺合したアンカーボルトと、前記アンカーボルトに取り付けられるとともに、前記捕捉部を固定する捕捉部固定用チェーンと、を有してもよい。
【００３４】
この構成によれば、捕捉部を固定する捕捉部固定用チェーンに雌ねじ部材に螺合したアンカーボルトが取り付けられているので、捕捉部とブロックとの連結強度が向上する。
【００３５】
本発明に係る捕捉体用ブロックは、河川の上流から流されてくる流動物を捕捉する捕捉部にかかる負荷を受ける重量物として使用される捕捉体用ブロックである。前記捕捉体用ブロックは、ブロックと、そのブロックの上面に設けられ、前記捕捉部に連結可能な可撓性の捕捉部連結用索状体を連結可能な上面連結具と、前記ブロックにおいて上流方向に配置される上流面に設けられ、ブロック連結用索状体を連結可能な上流面連結具と、前記ブロックにおいて下流方向に配置される下流面に設けられ、ブロック連結用索状体を連結可能な下流面連結具と、を備える。
【００３６】
この構成によれば、作業者は、可撓性のブロック連結用索状体と上面連結具とを連結することができるとともに、複数のブロックを上下流方向に隣り合うように並べた場合において、上流面連結具と下流面連結具とをブロック連結用索状体によって連結することができるので、捕捉体の作製には、河床にコンクリートを打設したり、コンクリートが固化するまで養生させたりする必要がない。そのため、捕捉体を簡易かつ短期間に作製できる。さらに、上流面連結具と下流面連結具とブロック連結用索状体とによって複数のブロックを連結することができるので、捕捉体の重量物としてのブロックの重量を確保することが容易になる。そのため、十分な耐久力を有する捕捉体を提供することができる。
【００３７】
上記構成において、前記上流面連結具と前記下流面連結具は、前記上流面と前記下流面における左右方向の端部に配置されていてもよい。
【００３８】
この構成によれば、複数のブロックを左右方向に並べた場合、左右方向に隣り合うブロックの上流面連結具同士および下流面連結具同士が近接するので、上流面連結具と下流面連結具は、左右方向に隣り合うブロックの連結に利用することができるようになる。そのため、捕捉体の重量物としてのブロックの重量を確保することが容易になる。
【００３９】
上記構成において、前記ブロックの上面は、内部に向けて凹む上面凹部を有してもよい。前記上面連結具は、前記上面凹部内に配置されていてもよい。
【００４０】
この構成によれば、上面連結具は、上面凹部内に配置されているので、複数のブロックを上下方向に積み重ねる際に、捕捉部を連結するための上面連結具にその上側に位置するブロックが接触しない。そのため、複数のブロックを安定的に上下方向に積み重ねることができるので、複数のブロックを上下方向に積み重ねることによるブロックの重量の確保が容易になる。
【発明の効果】
【００４１】
本発明によれば、簡易かつ短期間に作製でき、しかも十分な耐久力を有する捕捉体を提供することができる。
【図面の簡単な説明】
【００４２】
【図１】本発明の第１実施形態に係る捕捉体の側面図である。
【図２】本発明の第１実施形態に係る捕捉体の正面図である。
【図３】本発明の第１実施形態に係る捕捉体の平面図である。
【図４】本発明の第１実施形態に係る捕捉体用ブロックの平面図である。
【図５】本発明の第１実施形態に係る捕捉体用ブロックの正面図である。
【図６】本発明の第１実施形態に係る捕捉体用ブロックの側面図である。
【図７】本発明の第１実施形態に係る捕捉体のブロック同士の連結状態を示す部分拡大図である。
【図８】本発明の第１実施形態の変形例に係る捕捉体の平面図である。
【図９】本発明の第１実施形態の変形例に係る捕捉体の側面図である。
【図１０】本発明の第１実施形態の他の変形例に係る捕捉体の平面図である。
【図１１】本発明の第１実施形態の他の変形例に係る捕捉体の側面図である。
【図１２】本発明の第１実施形態の他の変形例に係る捕捉体の平面図である。
【図１３】本発明の第１実施形態の他の変形例に係る捕捉体の平面図である。
【図１４】本発明の第２実施形態に係る捕捉体の側面図である。
【図１５】本発明の第２実施形態に係る捕捉体の正面図である。
【図１６】本発明の第２実施形態に係る捕捉体の平面図である。
【図１７】本発明の第２実施形態に係る捕捉体の第２連結部材によるブロックの連結状態を示す部分拡大図である。
【図１８】本発明の第２実施形態に係る捕捉体の第２連結部材の上流面連結具の平面図である。
【図１９】本発明の第２実施形態の変形例に係る捕捉体のブロックの斜視図である。
【図２０】本発明の第２実施形態の変形例に係る捕捉体の側面図である。
【図２１】本発明の第２実施形態の変形例に係る捕捉体の平面図である。
【図２２】本発明の第２実施形態の変形例に係る捕捉体の正面図である。
【図２３】本発明の第３実施形態に係る捕捉体の側面図である。
【図２４】本発明の第３実施形態に係る捕捉体の正面図である。
【図２５】本発明の第３実施形態に係る捕捉体の上下流方向連結用鋼材によるブロックの連結状態を示す部分拡大図である。
【図２６】本発明の第３実施形態の変形例に係る捕捉体の側面図である。
【図２７】本発明の第３実施形態の他の変形例に係る捕捉体の側面図である。
【発明を実施するための形態】
【００４３】
以下、本発明の第１〜３実施形態について、図面を参照しながら説明する。但し、以下で参照する各図は、説明の便宜上、本発明の第１実施形態に係る捕捉体１及び捕捉体用ブロックを説明するために必要となる主要な構成要素を簡略化して示したものである。したがって、本発明の第１実施形態に係る捕捉体１及び捕捉体用ブロックは、本明細書が参照する各図に示されていない任意の構成要素を備え得る。
【００４４】
（第１実施形態）
以下、図１〜７を参照しながら、本発明の第１実施形態の捕捉体１について説明する。捕捉体１は、河川の河床ａに設置され、河川の上流から流されてくる流木や土石流などの流動物を捕捉するものである。捕捉体１は、図１に示すように、河川の上流から流されてくる流動物を捕捉する捕捉部３と、河川の上下流方向に並べられる複数のブロック２と、捕捉部３とブロック２とを連結する第１連結部材４と、ブロック２同士を連結する第２連結部材５と、を備える。また、以下の各図において、上下流方向および上下方向に直交する方向を左右方向と言う。
【００４５】
捕捉部３は、図１〜３に示すように、複数のブロック２のうち少なくとも１つのブロック２と連結されるベース部６と、ベース部６から立ち上がる複数の柱部７と、柱部７同士を連結する横桟部材１２と、柱部７を支持する支持部１３と、ベース部６から柱部７とは反対側に延びる抵抗部８と、を有する。
【００４６】
ベース部６は、所定間隔を空けて平行に延びる一対のベース基材９と、一対のベース基材９の端部に接続されて、ベース基材９同士を互いに連結する一対の連結基材１０と、を有し、全体で上下流方向に長い略矩形枠状に形成されている。尚、各実施形態において、ベース基材９の離間する方向をベース部６の幅方向とする。
【００４７】
一対のベース基材９は、鋼管を連結することによって形成されている。尚、各ベース基材９は、１本の鋼管によって構成されてもよい。
【００４８】
各連結基材１０は、鋼管によって構成されている。各連結基材１０は、一対のベース基材９の延びる方向とほぼ直交する姿勢で、一対のベース基材９に溶接されることによって連結されている。
【００４９】
複数の柱部７は、一対のベース基材９の略中央部に略直角に立ち上がるように連結され、河川の上流から流されてくる流木などの流動物が衝突することによって流動物を捕捉するものである。本実施形態では、２本の柱部７が一対のベース基材９に連結されている。各柱部７は、図２の例では、１本の鋼管によって構成されているが、複数の鋼管を連結することによって構成されてもよい。
【００５０】
横桟部材１２は、ベース部６の幅方向に延びる鋼管によって構成されている。横桟部材１２は、柱部７の延びる方向と直交する姿勢で、横桟部材１２の両端部分が柱部７と溶接されることにより柱部７と連結されている。図２の例では、横桟部材１２は、柱部７の延びる方向に間隔を空けて２つ設けられているが、その数は限定されることはない。また、横桟部材１２は、省略されていてもよい。
【００５１】
支持部１３は、図１に示すように、一端部が柱部７の上端における下流側の面、または、柱部７の上端と下端との間の中間部における下流側の面に連結されるとともに、他端部がベース基材９における柱部７から下流方向に離れた位置に連結されることにより、柱部７が倒れないように支持している。本実施形態では、各柱部７を支持するため、２本の支持部１３が設けられている（図３参照）。各支持部１３は、その一方端が柱部７に溶接されることによって連結されており、他方端がベース基材９に溶接されることによって連結されている。尚、各支持部１３は、省略されていてもよい。
【００５２】
抵抗部８は、ベース基材９の略中央部において柱部７とは反対側に延びるようにベース基材９に連結された脚部１８と、脚部１８からベース部６の幅方向に延びる横桟部材１６と、を有する。
【００５３】
脚部１８は、ベース基材９の延びる方向と直交する姿勢でベース基材９に溶接されることによって連結されている。本実施形態では、ベース基材９の延びる方向に間隔を空けて２つの脚部１８が各ベース基材９に設けられているが（図１参照）、脚部１８の数はこれに限定されることはない。脚部１８は、省略されていてもよい。横桟部材１６は、ベース部６の幅方向に対向する１組の脚部１８にそれぞれ連結されている。尚、横桟部材１６は、省略されていてもよい。また、横桟部材１６は、脚部１８が省略される場合には、脚部１８とともに省略される。
【００５４】
複数のブロック２は、捕捉部３にかかる負荷を受ける重量物として使用される。各ブロック２は、例えば、コンクリートブロックによって形成することができる。各ブロック２は、図１〜３に示すように、ベース部６の幅方向よりも長い略直方体状に形成されている。各ブロック２は、長手方向がベース部６の幅方向に一致する向きに配置されている。本実施形態では、ブロック２は、ベース部６の長手方向に６列並べられているが、これに限定されることはなく、重量物としての重量を確保することができる数であれば、いくつでもよい。
【００５５】
また、各ブロック２は、図１に示すように、抵抗部８の下方に位置する２列のブロック２を除き、上下方向に３段積み重ねられているが、これに限定されることはなく、重量物としての重量を確保することができる数であれば、何段に積み重ねられてもよい。
【００５６】
抵抗部８の下方に位置する２列のブロック２と、この２列のブロック２に上下流方向に隣合う列のブロック２と、により、捕捉部３の抵抗部８が配置される収容空間ｂが形成されている。収容空間ｂには、捕捉部３の抵抗部８が配置された状態で、最上段のブロック２に捕捉部３のベース部６が載置されている。
【００５７】
各ブロック２は、捕捉体１を河床ａに設置する際には、長手方向が左右方向に一致する向きで上下流方向に並ぶように配置される（図３参照）。
【００５８】
各ブロック２は、図４〜６に示すように、上面１９と、底面２０と、上面１９と底面２０とを繋ぐ側面２１と、を有する。側面２１は、上流側に位置する上流面２２と、下流側に位置する下流面２３と、上流面２２と下流面２３における左側の端部を繋ぐ左側面２４と、上流面２２と下流面２３における右側の端部を繋ぐ右側面２５と、を有する。
【００５９】
各ブロック２の上面１９は、上基面１９ａと、上基面１９ａから上方に突出する嵌合凸部１９ｂと、上基面１９ａからブロック２の内部に向けて凹む上面凹部１９ｃと、を有する。嵌合凸部１９ｂには、捕捉部３のベース部６が載置されている（図１、２参照）。
【００６０】
嵌合凸部１９ｂは、各ブロック２の上面１９の中央に配置されている。嵌合凸部１９ｂは、後述の嵌合凹部２０ｂと嵌合する形状を有する。嵌合凸部１９ｂは、上方に向かって体積が小さくなる四角錐台状に突出している。嵌合凸部１９ｂは、各ブロック２の上面１９の左側の端部の近傍から右側の端部の近傍まで延びている。尚、嵌合凸部１９ｂは、省略されてもよい。
【００６１】
上面凹部１９ｃは、ブロック２の上面１９において、嵌合凸部１９ｂを上下流方向に挟む位置にそれぞれ配置されている。上流側の上面凹部１９ｃは、上面１９における上流側の端部に配置されている。下流側の上面凹部１９ｃは、上面１９における下流側の端部に配置されている。上面凹部１９ｃは、上面凹部１９ｃ内の空間が上方に向かって大きくなるように形成されている（図５参照）。
【００６２】
尚、上流側の上面凹部１９ｃと下流側の上面凹部１９ｃは、それぞれ左右方向に間隔を空けて２つずつ、計４つ設けられているが、これに限定されることはない。上流側の上面凹部１９ｃと下流側の上面凹部１９ｃは、それぞれ少なくとも一つ設けられていればよい。
【００６３】
各ブロック２の底面２０は、図５、６に示すように、下基面２０ａと、下基面２０ａから各ブロック２の内部に向けて凹む嵌合凹部２０ｂと、を有する。嵌合凹部２０ｂは、各ブロック２の底面２０の中央に配置されている。嵌合凹部２０ｂは、嵌合凸部１９ｂと嵌合する形状を有するように形成されている。嵌合凹部２０ｂは、嵌合凹部２０ｂ内の空間が上方に向かって小さくなるように形成されている。尚、嵌合凹部２０ｂは、嵌合凸部１９ｂが省略される場合には、省略されてもよい。
【００６４】
上下方向に積み重ねられたブロック２では、下側のブロック２の嵌合凸部１９ｂに上側のブロック２の嵌合凹部２０ｂが嵌合している。
【００６５】
各ブロック２の上流面２２は、図４に示すように、上流側基面２２ａと、上流側基面２２ａからブロック２の内部に向けて凹む上流面凹部２２ｂと、を有する。上流面凹部２２ｂは、上流面２２における左右方向の両端部に配置されている。上流面凹部２２ｂは、上流面２２において上下方向の全体に亘って形成されている。尚、上流面凹部２２ｂは、省略されてもよい。
【００６６】
各ブロック２の下流面２３は、下流側基面２３ａと、下流側基面２３ａからブロック２の内部に向けて凹む下流面凹部２３ｂと、を有する。下流面凹部２３ｂは、下流面２３における左右方向の両端部に配置されている。下流面凹部２３ｂは、下流面２３において上下方向の全体に亘って形成されている。尚、下流面凹部２３ｂは、省略されてもよい。
【００６７】
第１連結部材４は、図３、７に示すように、ブロック２の上面１９に設けられた上面連結具２６と、上面連結具２６と捕捉部３とを連結する第１捕捉部固定用チェーン２７と、第１捕捉部固定用チェーン２７の端部に取り付けられたシャックル２８と、を有する。
【００６８】
上面連結具２６は、上面凹部１９ｃ内に配置されている。上面連結具２６は、上面凹部１９ｃの底面１９ｃｃから逆Ｕ字状に上方に突出するように形成されている（図５参照）。上面連結具２６は、両端部分がブロック２の内部に埋め込まれることによって上面凹部１９ｃの底面１９ｃｃに固定されている。これにより、上面連結具２６は、第１捕捉部固定用チェーン２７が上下流方向に挿通可能なチェーン通孔２６ａを有するように形成されている。上面連結具２６の底面１９ｃｃからの突出高さは、上基面１９ａまでの範囲内の高さに構成されている。
【００６９】
第１捕捉部固定用チェーン２７は、図３に示すように、捕捉部３の連結基材１０と上面連結具２６とを連結する。
【００７０】
第１捕捉部固定用チェーン２７は、連結基材１０に巻き掛けられるとともに、上面連結具２６のチェーン通孔２６ａに挿通されている。この状態で、第１捕捉部固定用チェーン２７の両端部がシャックル２８によって連結されている。これにより、捕捉部３とブロック２とが第１連結部材４によって連結されている。本実施形態では、連結基材１０と上面連結具２６とが第１捕捉部固定用チェーン２７によって計４箇所において連結されているが、少なくとも１ヶ所において連結されていればよい。
【００７１】
また、第１捕捉部固定用チェーン２７は、抵抗部８の横桟部材１６と上面連結具２６とを連結している。具体的には、第１捕捉部固定用チェーン２７は、図１、３に示すように、横桟部材１６に巻き掛けられるととともに、上下流方向に隣り合う上面連結具２６、２６のチェーン通孔２６ａ、２６ａに挿通されている。この状態で、第１捕捉部固定用チェーン２７の両端部がシャックル２８によって連結されている。尚、第１捕捉部固定用チェーン２７による横桟部材１６と上面連結具２６との連結は省略されてもよい。
【００７２】
第１捕捉部固定用チェーン２７は、可撓性の捕捉部連結用索状体の一例である。また、捕捉部連結用索状体としては、ワイヤーやロープが用いられてもよい。
【００７３】
さらに、捕捉部３のベース基材９と後述の上流面連結具３０とが第２捕捉部固定用チェーン２９によって連結されてもよい。これにより、捕捉部３のブロック２の上面１９からの浮き上がりを防止することができる。尚、第２捕捉部固定用チェーン２９は、省略されてもよい。また、ベース基材９と上流面連結具３０とは、第２捕捉部固定用チェーン２９ではなく、ワイヤーやロープによって連結されてもよい。
【００７４】
第２連結部材５は、図３、７に示すように、上下流方向に隣り合うブロック２において、上流側に位置するブロック２の下流面２３と、下流側に位置するブロックの上流面２２と、を連結するように構成されている。具体的には、第２連結部材５は、ブロック２の上流面２２に設けられた上流面連結具３０と、ブロック２の下流面２３に設けられた下流面連結具３１と、上流面連結具３０と下流面連結具３１とを連結するブロック連結用チェーン３２と、ブロック連結用チェーン３２の端部に取り付けられたシャックル３３と、を有する。
【００７５】
上流面連結具３０は、図４に示すように、上流面２２における左右方向の端部に配置されている。本実施形態では、上流面連結具３０は、上流面凹部２２ｂ内に配置されている。上流面連結具３０は、上流面凹部２２ｂの底面２２ｂｃから逆Ｕ字状に上流方向に突出するように形成されている。上流面連結具３０は、両端部分がブロック２の内部に埋め込まれることによって上流面凹部２２ｂの底面２２ｂｃに固定されている。上流面連結具３０は、ブロック連結用チェーン３２が上下方向に挿通可能なチェーン通孔３０ａを有するように上流方向に突出している。本実施形態では、上流面連結具３０の突出高さは、上流側基面２２ａまでの範囲内の高さに構成されている。
【００７６】
下流面連結具３１は、下流面２３における左右方向の端部に配置されている。本実施形態では、下流面連結具３１は、下流面凹部２３ｂ内に配置されている。下流面連結具３１は、下流面凹部２３ｂの底面２３ｂｃから逆Ｕ字状に下流方向に突出するように形成されている。下流面連結具３１は、両端部分がブロック２の内部に埋め込まれることによって下流面凹部２３ｂの底面２３ｂｃに固定されている。下流面連結具３１は、ブロック連結用チェーン３２が上下方向に挿通可能なチェーン通孔３１ａを有するように下流方向に突出している。下流面連結具３１の突出高さは、下流側基面２３ａまでの範囲内の高さに構成されている。
【００７７】
ブロック連結用チェーン３２は、図１、７に示すように、上下流方向に隣り合うブロック２において上流側に位置するブロック２の下流面連結具３１と、下流側に位置するブロック２の上流面連結具３０と、を一括して連結している。
【００７８】
具体的には、上下方向に積み重ねたブロック２の下流面連結具３１のチェーン通孔３１ａと上下方向に積み重ねた上流面連結具３０のチェーン通孔３０ａにブロック連結用チェーン３２が一括して挿通されている。このブロック連結用チェーン３２の両端部は、シャックル３３によって連結されている。これにより、第２連結部材５は、上下流方向に隣り合うブロック２を上下流方向に一括して連結しているとともに、上下方向に積み重ねたブロック２を上下方向に一括して連結している。ブロック連結用チェーン３２は、可撓性のブロック連結用索状体の一例である。また、ブロック連結用索状体としては、ワイヤーやロープが用いられてもよい。
【００７９】
また、最も上流側のブロック２では、最上段のブロック２の上流面連結具３０にシャックル３６が連結され、下方のブロック２の上流面連結具３０のチェーン通孔３０ａに上下方向連結用チェーン３７が挿通され、最下段のブロック２の上流面連結具３０にシャックル３８が連結されている。これにより、最も上流側のブロック２は、上下方向に一括して連結されている。
【００８０】
また、最も下流側のブロック２では、最上段のブロック２の下流面連結具３１にシャックル３６が連結され、下方のブロック２の下流面連結具３１のチェーン通孔３１ａに上下方向連結用チェーン３７が挿通され、最下段のブロック２の下流面連結具３１にシャックル３３が連結されている。これにより、最も下流側のブロック２は、上下方向に一括して連結されている。
【００８１】
ブロック２と上面連結具２６と上流面連結具３０と下流面連結具３１とにより、捕捉体用ブロックが構成される（図４参照）。
【００８２】
上記のように構成された捕捉体１は、図１に示すように、複数のブロック２の全てと、ブロック２の上面１９に載置されたベース部６と、が河床ａに掘削された掘削穴に埋められることによって河床ａに設置される。このとき、捕捉体１は、複数のブロック２が上下流方向に並ぶように設置される（図３参照）。尚、複数のブロック２は、河床ａの掘削穴に埋めるのではなく、河床ａに載置されるだけでもよい。
【００８３】
第１実施形態の捕捉体１では、図１に示すように、第１連結部材４によって捕捉部３とブロック２とを連結し、第２連結部材５によってブロック２同士を連結することができるので、捕捉体１の作製には、河床ａにコンクリートを打設したり、コンクリートが固化するまで養生させたりする必要がない。そのため、捕捉体１を簡易かつ短期間に作製できる。さらに、第２連結部材５は、上下流方向に隣り合うブロック２において、上流側に位置するブロック２の下流面２３と、下流側に位置するブロックの上流面２２と、を連結するように構成されているので、上下流方向に並ぶ複数のブロック２を重量物とすることができる。そのため、重量物としてのブロック２の重量を確保することが容易になるので、十分な耐久力を有する捕捉体１を提供することができる。
【００８４】
第１実施形態の捕捉体１では、捕捉部３とブロック２とが第１及び第２捕捉部固定用チェーン２７、２９によって連結されるので（図３参照）、捕捉部３に流動物が衝突したときに、捕捉部３がブロック２に対してずれることが許容される。そのため、捕捉部３とブロック２とがボルトとナット等によって固定されている場合に比べて、捕捉部３のブロック２に対するずれによるブロック２の歪を抑制することができる。
【００８５】
第１実施形態の捕捉体１では、上面連結具２６は、上面凹部１９ｃ内に配置されているので、複数のブロック２を上下方向に積み重ねる際に、捕捉部３を連結するための上面連結具２６にその上側に位置するブロック２が接触しない。そのため、複数のブロック２を安定的に上下方向に積み重ねることができるので、複数のブロック２を上下方向に積み重ねることによるブロック２の重量の確保が容易になる。
【００８６】
第１実施形態の捕捉体１では、複数のブロック２は、図７に示すように、ブロック連結用チェーン３２によって連結されるので、河川工事などによる河床ａの変化（例えば、沈下）により、上下流方向に隣り合うブロック２の位置がずれても、この位置のずれが許容される。そのため、上下流方向に隣り合うブロック２同士が、第２実施形態のようにボルト４７とナット４８によって固定されている場合に比べて、ブロック２同士のずれによるブロック２の歪を抑制することができる。
【００８７】
第１実施形態の捕捉体１では、図３に示すように、上流面連結具３０は上流面凹部２２ｂ内に配置され、下流面連結具３１は下流面凹部２３ｂ内に配置されているので、上下流方向に隣り合うブロック２における上流面連結具３０が上流側のブロック２の下流面２３に干渉しないとともに、下流面連結具３１が下流側のブロック２の上流面２２に干渉しない。そのため、上下流方向に隣り合うブロック２同士を上下流方向に近接して配置することができるので、少ない設置面積で重量物としてのブロック２の重量を確保することができる。
【００８８】
第１実施形態の捕捉体１では、上流面連結具３０と下流面連結具３１は、それぞれ上下方向に貫通するチェーン通孔３０ａ、３１ａを有している。そのため、図７に示すように、上下方向に積み重ねたブロック２における上流面連結具３０のチェーン通孔３０ａおよび下流面連結具３１のチェーン通孔３１ａにブロック連結用チェーン３２を一括して挿通させることができるので、上下方向に積み重ねられた複数のブロック２を上下方向に一括して連結することができる。したがって、上下方向に積み重ねた複数のブロック２の連結作業が容易になる。
【００８９】
第１実施形態の捕捉体１では、複数のブロック２を上下方向に積み重ねるときに、下側のブロック２の嵌合凸部１９ｂに上側のブロック２の嵌合凹部２０ｂを嵌め込むことができるので、嵌合凸部１９ｂと嵌合凹部２０ｂとの間の嵌合により、上下方向に積み重ねたブロック２の位置がずれにくくなる。そのため、河川の上流から流されてくる流動物に対してブロック２の抵抗力が強い。
【００９０】
以上に説明した捕捉体１および捕捉体用ブロックは、本発明の一実施形態であり、その具体的構成については、本発明の趣旨を逸脱しない範囲で適宜変更可能である。以下、本発明の第１実施形態の変形例について説明する。第１実施形態の変形例において第１実施形態の捕捉体１と対応する要素は、第１実施形態の捕捉体１と同様の符号を付して、その説明を省略する。
【００９１】
（第１実施形態の変形例）
第１実施形態の変形例の捕捉体１ａでは、図８、９に示すように、捕捉部３がブロック２の上面１９に載置されていない点、ブロック２が左右方向にも連結されることによって重量物としてのブロック２の重量を確保している点、上下方向に積み重ねた複数のブロック２の一部が河床ａから突出している点で、第１実施形態の捕捉体１と相違している。
【００９２】
具体的には、第１実施形態の変形例の捕捉体１ａでは、左右方向にも複数のブロック２が並べられている。本実施形態では、複数のブロック２は、左右方向に３列並べられている。また、複数のブロック２のうちの中央の列では、上下流方向に１列のみ並べられているが、左側の列と右側の列は、上下流方向に５列並べられている。
【００９３】
第２連結部材５は、左右方向に隣り合う複数のブロック２において、左側のブロック２の上流面連結具３０と、右側のブロック２の上流面連結具３０と、をブロック連結用チェーン３２によって連結している。さらに、第２連結部材５は、左側のブロック２の下流面連結具３１と、右側のブロック２の下流面連結具３１と、をブロック連結用チェーン３２によって連結している。
【００９４】
尚、第１実施形態の捕捉体１では、第２捕捉部固定用チェーン２９は、ベース基材９と上流面連結具３０とを連結したが、第１実施形態の変形例の捕捉体１ａでは、ベース基材９と下流面連結具３１とを連結している。これにより、第１実施形態と同様に、捕捉部３の河床ａからの浮き上がりを防止している。
【００９５】
第１実施形態の変形例の捕捉体１ａでは、図８に示すように、複数のブロック２が左右方向に隣り合うように並べられているので、左右方向に隣り合うブロック２の上流面連結具３０、３０同士および下流面連結具３１、３１同士が近接している。そのため、上流面連結具３０と下流面連結具３１は、上下流方向に隣り合うブロック２同士の連結に利用できるだけでなく、左右方向に隣り合うブロック２の上流面連結具３０、３０同士および下流面連結具３１、３１同士の連結にも利用することができる。したがって、重量物としてのブロック２の重量を確保することが容易になる。
【００９６】
（第１実施形態の他の変形例）
次に、第１実施形態の他の変形例の捕捉体１ｂについて説明する。第１実施形態の他の変形例の捕捉体１ｂでは、図１０、１１に示すように、ブロック２が左右方向に連結されていない代わりに、上流側の連結基材１０の上流側にブロック２が上下流方向に５列並べられるとともに、下流側の連結基材１０の下流側にブロック２が１列並べられている点、全てのブロック２が河床ａに埋められている点で、第１実施形態の変形例の捕捉体１ａと相違している。
【００９７】
また、第１実施形態の他の変形例の捕捉体１ｂは、図１２に示すように、左右方向に連結されてもよい。図１２の例では、捕捉体１ｂは、左右方向に３つ連結されているが、これに限定されることはなく、２つ以上連結されていればよい。この場合、捕捉体１ｂの左右方向の連結は、上記捕捉体１ａと同様に、第２連結部材５によって行うことができる。
【００９８】
このようにすると、捕捉部３によって流動物を捕捉する面積が左右方向に大きくなるので、川幅が広い河川の河床に設置された場合に、流動物を捕捉部３によって効果的に捕捉することができる。
【００９９】
また、左右方向に連結された複数の捕捉体１ｂは、図１３に示すように、上下流方向にずれた状態で左右方向に連結されてもよい。本実施形態では、複数の捕捉体１ｂは、３ブロック分ずつ上下流方向にずれている（図１３に示すように、ベース部６の角部を繋ぐ直線と左右方向に延びる直線がなす角度が４５度である）が、これに限定されることはなく、複数の捕捉体１ｂのずれ量は、河川の流路の形状に応じて適宜決定することができる。また、この場合、上記捕捉体１ａと同様に、捕捉部３とブロック２とが第１連結部材４によって連結される。
【０１００】
このようにすると、捕捉部３の河床ａからの浮き上がりを第２捕捉部固定用チェーン２９によって防止することができるとともに、流路が複雑な河川の河床ａにも捕捉体１ｂを設置することが容易になる。
【０１０１】
（第２実施形態）
次に、第２実施形態の捕捉体１１１について説明する。第２実施形態の捕捉体１１１は、図１４〜１６に示すように、ブロック２の形状、第１連結部材４の構成および第２連結部材５の構成において第１実施形態の捕捉体１と相違している。第２実施形態において第１実施形態と対応する要素には、第１実施形態と同様の符号が付され、その説明が省略される。
【０１０２】
第１実施形態のブロック２は、上面連結具２６が配置される上面凹部１９ｃを備えたが、第２実施形態のブロック２は、上面凹部１９ｃが省略されるとともに、嵌合凸部１９ｂの上面から下方向に延びる連結用穴４１を有する（図１６参照）。
【０１０３】
第２実施形態の第１連結部材４は、連結用穴４１に固定された雌ねじ部材（図示せず）と、雌ねじ部材に螺合したアンカーボルト（図示せず）と、アンカーボルトに取り付けられた捕捉部固定用チェーン２７と、を有する。
【０１０４】
捕捉部固定用チェーン２７は、ベース部６の一対の連結基材１０に巻き掛けられ、この状態で、捕捉部固定用チェーン２７に取り付けられているアンカーボルトが連結用穴４１内において雌ねじ部材と螺合している。これにより、第１連結部材４は、捕捉部３とブロック２とを連結している。
【０１０５】
また、第１実施形態のブロック２は、上流面凹部２２ｂと下流面凹部２３ｂとを備えたが（図４参照）、第２実施形態のブロック２は、上流面凹部２２ｂと下流面凹部２３ｂとが省略されるとともに、図１４、１５に示すように、第１連結用凹部４４を有する。
【０１０６】
第１連結用凹部４４は、上流面２２と左側面２４との結合部、上流面２２と右側面２５との結合部、下流面２３と左側面２４との結合部、および、下流面２３と右側面２５との結合部に形成されている。
【０１０７】
上流面２２と左側面２４との結合部における第１連結用凹部４４は、上流面２２に凹設されるとともに、左側面２４まで切り欠かれることによって形成されている。上流面２２と右側面２５との結合部における第１連結用凹部４４は、上流面２２に凹設されるとともに、右側面２５まで切り欠かれることによって形成されている。下流面２３と左側面２４との結合部における第１連結用凹部４４は、下流面２３に凹設されるとともに、左側面２４まで切り欠かれることによって形成されている。下流面２３と右側面２５との結合部における第１連結用凹部４４は、下流面２３に凹設されるとともに、右側面２５まで切り欠かれることによって形成されている。
【０１０８】
第１連結用凹部４４内の空間は、後述のボルト４７よりも大きくなるように形成されている。
【０１０９】
第２実施形態の第２連結部材５は、図１７、１８に示すように、ブロック２の上流面２２に設けられた上流面連結具４５と、ブロック２の下流面２３に設けられた下流面連結具４６と、ボルト４７と、ナット４８と、を有する。
【０１１０】
上流面連結具４５と下流面連結具４６は、それぞれ、上流面２２と下流面２３における第１連結用凹部４４の位置に配置されている。上流面連結具４５と下流面連結具４６は、第１連結用凹部４４を上下方向に挟む位置でブロック２に固定され、かつ、上下流方向に延びる一対のアンカー筋４９と、一対のアンカー筋４９を連結するコ字状の連結プレート５０と、を有する。
【０１１１】
連結プレート５０は、第１連結用凹部４４と上下流方向に対向する基部５０ａと、基部５０ａから直角に折り曲げられて一対のアンカー筋４９に連結された折曲部５０ｂと、を有する。基部５０ａの中央には、第１連結用凹部４４と上下流方向に対向する長孔状のボルト通孔５０ａａが形成されている。
【０１１２】
上流面連結具４５は、基部５０ａの上流側の面がブロック２の上流面２２と面一になるようにブロック２に埋め込まれている。これにより、上流面連結具４５は、ブロック２の上流面２２に固定されている。尚、上流面連結具４５は、ブロック２の上流面２２に固定された状態で、基部５０ａの上流側の面が上流面２２から上流方向に若干突出していてもよい。
【０１１３】
下流面連結具４６は、基部５０ａの下流側の面がブロック２の下流面２３と面一になるようにブロック２に埋め込まれている。これにより、下流面連結具４６は、ブロック２の下流面２３に固定されている。尚、下流面連結具４６は、ブロック２の下流面２３に固定された状態で、基部５０ａの下流側の面が下流面２３から下流方向に若干突出していてもよい。
【０１１４】
ボルト４７は、上流側のブロック２の下流面２３と下流側のブロック２の上流面２２とを隣接させることにより、上流面連結具４５のボルト通孔５０ａａと下流面連結具４６のボルト通孔５０ａａとを上下流方向に対向させ、この状態で、第１連結用凹部４４の左右方向から第１連結用凹部４４を通して両ボルト通孔５０ａａに挿通されている。
【０１１５】
ナット４８は、第１連結用凹部４４の左右方向から第１連結用凹部４４を通してボルト４７に螺合している。これにより、第２連結部材５は、複数のブロック２を上下流方向に連結している。
【０１１６】
第２実施形態の捕捉体１１１では、図１７に示すように、上流面連結具４５と下流面連結具４６とを連結するボルト４７とナット４８が第１連結用凹部４４内に配置されているので、上下流方向に並べられるブロック２を上下流方向に近接させて一体化することができる。また、上下流方向に隣接するブロック２は、ボルト４７とナット４８によって一体化されるので、第１実施形態のように上下流方向に隣り合うブロック２をブロック連結用チェーン３２によって連結する場合に比べて、ブロック２の位置がずれにくい。
【０１１７】
第２実施形態の捕捉体１１１では、図１６に示すように、捕捉部３の連結基材１０に巻き付けられた第１捕捉部固定用チェーン２７の端部に取り付けられたアンカーボルトが、ブロック２の連結用穴４１に固定された雌ねじ部材と螺合しているので、捕捉部３とブロック２との連結強度が大きい。
【０１１８】
（第２実施形態の変形例）
次に、第２実施形態の変形例の捕捉体１１１ａについて説明する。第２実施形態の変形例の捕捉体１１１ａは、図１９〜２２に示すように、ブロック２の形状の点、ブロック２が左右方向にも並べられている点、第３連結部材６６によってブロック２が左右方向に連結されている点、第４連結部材によってブロック２が上下方向に連結されている点で、第２実施形態の捕捉体１１１と相違している。以下、第２実施形態と対応する要素については、第２実施形態と同様の符号を付して、その説明を省略する。
【０１１９】
第２実施形態の変形例のブロック２は、図１９に示すように、左右方向に長い直方体状の基体部６０と、基体部６０から上下流方向に突出する直方体状の第１突出部６１と、基体部６０から左右方向に突出する直方体状の第２突出部６２と、基体部６０から上方に突出する直方体状の第３突出部６３と、を有する。
【０１２０】
第１突出部６１は、左右方向の長さと上下方向の長さがそれぞれ基体部６０の左右方向の長さと上下方向の長さに等しくなるように形成されている。第１突出部６１の突出高さは、基体部６０の上下流方向の長さよりも短くなっている。第２突出部６２は、上下流方向の長さと上下方向の長さがそれぞれ基体部６０の上下流方向の長さと上下方向の長さに等しくなるように形成されている。第２突出部６２の突出高さは、第１突出部６１の突出高さと等しくなっている。第３突出部６３は、上下流方向の長さと左右方向の長さがそれぞれ基体部６０上下流方向の長さと左右方向の長さに等しくなるように形成されている。第３突出部６３の突出高さは、第１突出部６１の突出高さと等しくなっている。尚、第２突出部６２と第３突出部６３のうちの少なくとも一方は、省略されてもよい。
【０１２１】
第１突出部６１と第２突出部６２と第３突出部６３において上流方向に向く面は、ブロック２の上流面２２を構成している。第１突出部６１と第２突出部６２と第３突出部６３において下流方向に向く面は、ブロック２の下流面２３を構成している。第１突出部６１と第２突出部６２と第３突出部６３において左右方向に向く面は、左右側面２４、２５を構成している。第１突出部６１と第２突出部６２と第３突出部６３において上方向に向く面は、ブロック２の上面１９を構成している。
【０１２２】
第１連結用凹部４４は、第１突出部６１の左右方向の両端部に配置されている。第１連結用凹部４４は、さらに、第１突出部６１の左右方向の中間部にも配置されている。この第１連結用凹部４４は、第１突出部６１における上流面２２及び下流面２３に凹設されるとともに、第１突出部６１における上面１９まで切り欠かれることによって形成されている。尚、第１突出部６１における上面１９まで切り欠かれた第１連結用凹部４４と、第１突出部６１における左右側面２４、２５まで切り欠かれた第１連結用凹部４４とは、どちらか一方を省略してもよい。
【０１２３】
上流面連結具４５は、図２０に示すように、第１突出部６１の上流面２２における第１連結用凹部４４の位置に設けられている。下流面連結具４６は、第１突出部６１の下流面２３における第１連結用凹部４４の位置に設けられている。
【０１２４】
第２突出部６２は、図１９に示すように、左右側面２４、２５に凹設されるとともに、上下流面２２、２３まで切り欠かれた第２連結用凹部６４を有する。
【０１２５】
第２連結用凹部６４は、さらに、第２突出部６２の上下流方向の中間部において、左右側面２４、２５に凹設されるとともに、上面１９まで切り欠かれることによって形成されている。尚、上面１９まで切り欠かれた第２連結用凹部６４と上下流面２２、２３まで切り欠かれた第２連結用凹部６４とは、どちらか一方を省略してもよい。
【０１２６】
第３突出部６３は、上面１９に凹設された第３連結用凹部６５を有する。第３連結用凹部６５には、左右側面２４、２５まで切り欠かれた第３連結用凹部６５と、上下流面２２、２３まで切り欠かれた第３連結用凹部６５と、が含まれる。尚、左右側面２４、２５まで切り欠かれた第３連結用凹部６５と上下流面２２、２３まで切り欠かれた第３連結用凹部６５とは、どちらか一方を省略してもよい。
【０１２７】
第２実施形態の変形例の捕捉体１１１ａでは、上流側のブロック２の第１突出部６１の下流面２３と下流側のブロック２の第１突出部６１の上流面２２とを上下流方向に隣接させ、その上流面２２と下流面２３とが、第２実施形態の捕捉体１１１と同様に、第２連結部材５によって上下流方向に連結されている（図１７参照）。さらに、第２実施形態の変形例の捕捉体１１１ａでは、図２１に示すように、上面１９まで切り欠かれた第１連結用凹部４４の位置においても、第２連結部材５によって上下流方向に連結されている。この場合、ボルト４７は、第１連結用凹部４４の上方から第１連結用凹部４４を通してボルト通孔５０ａａに挿通される。
【０１２８】
第３連結部材６６は、図２２に示すように、複数のブロック２を左右方向に連結するものである。第３連結部材６６は、第２突出部６２の左側面２４に設けられた左側面連結具６７と、第２突出部６２の右側面２５に設けられた右側面連結具６８と、ボルトと、ナットと、を有する。尚、ボルトとナットは、第２連結部材５のボルト４７とナット４８と同様のものである。
【０１２９】
左側面連結具６７と右側面連結具６８は、上記上流面連結具３０と同様のものである。左側面連結具６７は、第２突出部６２の左側面２４においてボルト通孔が第２連結用凹部６４と左右方向に対向するように配置されている。左側面連結具６７は、上流面連結具４５と同様の方法によって第２突出部６２の左側面２４に固定されている。
【０１３０】
右側面連結具６８は、第２突出部６２の右側面２５においてボルト通孔が第２連結用凹部６４と左右方向に対向するように配置されている。右側面連結具６８は、上流面連結具４５と同様の方法によって第２突出部６２の右側面２５に固定されている。
【０１３１】
ボルトは、左側のブロック２の第２突出部６２の右側面２５と右側のブロック２の第２突出部６２の左側面２４とを隣接させることにより、左側面連結具６７のボルト通孔と右側面連結具６８のボルト通孔とを左右方向に対向させ、この状態で、第２連結用凹部６４の上下流方向から第２連結用凹部６４を通して両ボルト通孔に挿通されている。
【０１３２】
ナットは、第２連結用凹部６４の上下流方向から第１連結用凹部６４を通してボルト４７に螺合している。これにより、第２連結部材５は、複数のブロック２を左右方向に連結している。
【０１３３】
尚、第３連結部材５は、第２突出部６２が省略される場合は、省略されてもよい。
【０１３４】
第４連結部材６９は、図２０、２２に示すように、複数のブロック２を上下方向に連結するものである。第４連結部材６９は、第３突出部６３の上面１９に設けられた上面連結具７０と、ボルトと、ナットと、を有する。
【０１３５】
上面連結具７０は、上流面連結具４５と同様のものである。上面連結具７０は、第３突出部６３の上面１９においてボルト通孔が第３連結用凹部６５と上下方向に対向するように配置されている。上面連結具７０は、上流面連結具４５と同様の方法によって第３突出部６３の上面１９に固定されている。
【０１３６】
ボルトは、下側のブロック２の第３突出部６３の上面１９と上側のブロック２の第３突出部の上面１９とを上下方向に隣接させることにより、下側の上面連結具７０のボルト通孔と上側の上面連結具７０のボルト通孔とを上下方向に対向させ、この状態で、第３連結用凹部６５の左右方向から第３連結用凹部６５を通して両ボルト通孔に挿通されている。
【０１３７】
ナットは、第３連結用凹部６５の左右方向から第３連結用凹部６５を通してボルトに螺合している。これにより、第４連結部材６９は、複数のブロック２を上下方向に連結している。尚、第４連結部材６９は、第３突出部６３が省略される場合には、省略されてもよい。
【０１３８】
第２実施形態の変形例の捕捉体１１１ａでは、左側面連結具６７と右側面連結具６８とを連結するボルトとナットが第２連結用凹部６４内に配置されているので、左右方向に並べられるブロック２を左右方向に近接させて一体化することができる。そのため、上記第２実施形態の捕捉体１１１に比べて、重量物としてのブロック２の重量が確保しやすい。
【０１３９】
さらに、第２実施形態の変形例の捕捉体１１１ａでは、図２０、２２に示すように、
上面連結具７０、７０同士を連結するボルトとナットが第３連結用凹部６５内に配置されているので、上下方向に積み重ねられるブロック２を上下方向に近接させて一体化することができる。そのため、ブロック２を積み重ねた状態が安定している。
【０１４０】
また、第２実施形態の変形例の捕捉体１１１ａのブロック２は、第１突出部６１に加えて第２突出部を有するので、複数のブロック２が上下流方向に隣接した状態で、第２連結用凹部６４は、上下流方向に露出した状態になっている。そのため、作業者は、第２連結用凹部６４の上下流方向から第２連結用凹部６４を通して左側面連結具６７のボルト通孔と右側面連結具６８のボルト通孔とにボルトを挿通させることができるので、複数のブロック２の左右方向の連結作業が容易である。
【０１４１】
また、第２実施形態の変形例の捕捉体１１１ａのブロック２は、第１突出部６１に加えて第３突出部６３を有するので、複数のブロック２が上下流方向に隣接した状態で、第３連結用凹部６５は、上下流方向に露出した状態になっている。そのため、作業者は、第３連結用凹部６５の上下流方向から第３連結用凹部６５を通して上面連結具７０のボルト通孔にボルトを挿通させることができるので、複数のブロック２の上下方向の連結作業が容易である。
【０１４２】
（第３実施形態）
次に、第３実施形態の捕捉体２２２を説明していく。第３実施形態の捕捉体２２２は、図２３、２４に示すように、ブロック２が直方体状に形成されている点、第２連結部材５を省略する代わりに、上下流方向連結用鋼材２２３によって複数のブロック２を上下流方向に連結している点、さらに、左右方向連結用鋼材２２４によって複数のブロック２を左右方向に連結している点で、第２実施形態の捕捉体１１１と相違している。以下、第３実施形態において第２実施形態と対応する要素は、第２実施形態と同様の符号を付して、その説明を省略する。
【０１４３】
第３実施形態の捕捉体２２２では、最も長い長手方向が上下方向に向き、かつ、最も短い短手方向が上下流方向に向く縦向きのブロック２が、捕捉部３の抵抗部８の上流側と下流側にそれぞれ３列ずつ上下流方向に隣接して並べられている。縦向きのブロック２は、上下方向に積み重ねられていない。
【０１４４】
さらに、最も長い長手方向が上下流方向に向き、かつ、最も短い短手方向が上下方向に向く横向きのブロック２が抵抗部８の下方に１列並べられている。横向きのブロック２は、縦向きのブロック２に上下流方向に隣接している。尚、横向きのブロック２は、上下方向に二段積み重ねられているが、これに限定されることはなく、捕捉部３の抵抗部８を配置する収容空間ｂを隣接する縦向きのブロック２との間で形成することができれば、何段に積み重ねられてもよい。また、縦向きのブロック２は、横向きのブロック２の上流側と下流側にそれぞれ３列ずつ並べられているが、これに限定されることはなく、重量物としてのブロック２の重量を確保することができれば、何列でもよい。
【０１４５】
ブロック２は、上下流方向に貫通する上下流方向貫通孔２２５と、左右方向に貫通する左右方向貫通孔２２６と、を有する。尚、横向きのブロック２では、上下流方向貫通孔２２５は、上下方向に向くことになる。
【０１４６】
上下流方向連結用鋼材２２３は、図２３、２５に示すように、縦向きの３つのブロック２の上下流方向の長さを足し合わせた長さよりも僅かに長い棒状に形成されている。上下流方向連結用鋼材２２３は、上下流方向貫通孔２２５に挿入される挿入部２２３ａと、挿入部２２３ａの両端に結合されたボルト部２２３ｂと、ボルト部２２３ｂに挿入されるリング状のアンカープレート２２３ｃと、ボルト部２２３ｂと螺合するナット２２３ｄと、を有する。
【０１４７】
上下流方向連結用鋼材２２３は、３つの縦向きのブロック２の上下流方向貫通孔２２５を対向させた状態で、これら３つの上下流方向貫通孔２２５を一括して貫通している。この状態で、上下流方向貫通孔２２５から突出しているボルト部２２３ｂにアンカープレート２２３ｃを挿入し、ボルト部２２３ｂにナット２２３ｄを螺合させて締め付けることにより、３つの縦向きのブロック２が上下流方向に連結されている。尚、本実施形態では、上下流方向連結用鋼材２２３は、上下方向に間隔を空けて２つ設けられているが、これに限定されることはなく、１つ以上設けられていればよい。また、縦向きのブロック２と横向きのブロック２とは連結されていない。
【０１４８】
左右方向連結用鋼材２２４は、図２４、２５に示すように、３つのブロック２の左右方向の長さを足し合わせた長さよりも僅かに長い棒状に形成されている。左右方向連結用鋼材２２４は、長さの点を除き上下流方向連結用鋼材２２３と同様の構成を有する。
【０１４９】
左右方向連結用鋼材２２４は、３つのブロック２の左右方向貫通孔２２６を対向させた状態で、これら３つの左右方向貫通孔を一括して貫通している。この状態で、左右方向貫通孔２２６から突出しているボルト部２２３ｂにアンカープレート２２３ｃを挿入し、ボルト部２２３ｂにナット２２３ｃを螺合させて締め付けることにより、３つのブロック２が左右方向に連結されている。尚、本実施形態では、左右方向連結用鋼材２２４は、上下方向に間隔を空けて２つ設けられているが、これに限定されることはなく、１つ以上設けられていればよい。また、ブロック２が左右方向に並べられない場合は、左右方向連結用鋼材２２４は省略される。
【０１５０】
第３実施形態の捕捉体２２２では、図２３に示すように、第１連結部材４によって捕捉部３とブロック２とを連結し、上下流方向連結用鋼材２２３によって複数のブロック２を連結するので、捕捉体２２２の作製には、河床ａにコンクリートを打設したり、コンクリートが固化するまで養生させたりする必要がない。そのため、捕捉体２２２を簡易かつ短期間に作製できる。さらに、第３実施形態の捕捉体２２２では、上下流方向連結用鋼材２２３は、複数のブロック２を上下流方向に貫通し、複数のブロック２を上下流方向に一括して連結しているので、重量物としてのブロック２の重量を確保しやすい。そのため、十分な耐久力を有する捕捉体２２２を提供することができる。
【０１５１】
第３実施形態の変形例の捕捉体２２２ａでは、図２４に示すように、左右方向連結用鋼材２２４によって複数のブロック２が左右方向に一括して連結されているので、左右方向に隣接する複数のブロック２が重量物として使用されている。そのため、重量物としてのブロック２の重量が確保しやすい。
【０１５２】
（第３実施形態の変形例）
次に、第３実施形態の変形例の捕捉体２２２ａについて説明する。
【０１５３】
第３実施形態の変形例の捕捉体２２２ａは、図２６に示すように、上下方向連結用鋼材２２７を備えている点で、第３実施形態の捕捉体２２２と相違している。以下、第３実施形態の捕捉体２２２と対応する要素については、第３実施形態の捕捉体２２２と同様の符号を付して、その説明を省略する。
【０１５４】
第３実施形態の変形例の捕捉体２２２ａでは、複数のブロック２は、捕捉部３の抵抗部８の下方のブロック２を除き、上下方向に二段に積み重ねられている。
【０１５５】
ブロック２は、上下方向に貫通する上下方向貫通孔２２８を有する。
【０１５６】
上下方向連結用鋼材２２７は、２つのブロック２の上下方向の長さを足し合わせた長さよりも僅かに長い棒状に形成されている。上下方向連結用鋼材２２７は、長さの点を除き上下流方向連結用鋼材２２３と同様のものである。
【０１５７】
上下方向連結用鋼材２２７は、２つのブロック２を上下方向に積み重ねることによって２つのブロック２の上下方向貫通孔２２８を対向させた状態で、これら２つの上下方向貫通孔２２８を一括して貫通している。この状態で、上下方向貫通孔２２８から突出しているボルト部にアンカープレートを挿入し、ボルト部にナットを螺合させて締め付けることにより、上下方向に積み重ねたブロック２が上下方向に連結されている。尚、上下方向連結用鋼材２２７は、ブロック２の上下流方向に間隔を空けて２つ設けられているが、１つ以上設けられていればよい。また、上下方向連結用鋼材２２７は、省略されてもよい。
【０１５８】
図２７には、第３実施形態の他の変形例の捕捉体２２２ｂが示されている。捕捉体２２２ｂでは、最も上流側に位置するブロック２と最も下流側に位置するブロック２のみ上下方向に積み重ねられている点で、上記捕捉体２２２ａと相違している。
【０１５９】
第３実施形態の変形例の捕捉体２２２ａ、２２２ｂでは、図２６、図２７に示すように、上下方向連結用鋼材２２７によって上下方向に積み重ねたブロック２を連結しているので、ブロック２を上下方向に積み重ねた状態が安定化している。
【符号の説明】
【０１６０】
１          捕捉体
２          ブロック
３          捕捉部
４          第１連結部材
５          第２連結部材
１９        上面
１９ｂ      嵌合凸部
１９ｃ      上面凹部
２０ｂ      嵌合凹部
２２        上流面
２２ｂ      上流面凹部
２３        下流面
２３ｂ      下流面凹部
２４        左方面
２５        右方面
２６        上面連結具
２７        捕捉部固定用チェーン
３０        上流面連結具
３０ａ      チェーン通孔
３１        下流面連結具
３１ｂ      チェーン通孔
３２        ブロック連結用チェーン
４１        連結用穴
４４        第１連結用凹部
４５        上流面連結具
４６        下流面連結具
４７        ボルト
４８        ナット
５０ａａ    ボルト通孔
６１        第１突出部
６２        第２突出部
６３        第３突出部
６４        第２連結用凹部
６５        第３連結用凹部
６９        第４連結部材
２２３      上下流方向連結用鋼材
２２４      左右方向連結用鋼材
２２７      上下方向連結用鋼材
ａ          河床
【図１】
2020139362.tif 000003
【図２】
2020139362.tif 000004
【図３】
2020139362.tif 000005
【図４】
2020139362.tif 000006
【図５】
2020139362.tif 000007
【図６】
2020139362.tif 000008
【図７】
2020139362.tif 000009
【図８】
2020139362.tif 000010
【図９】
2020139362.tif 000011
【図１０】
2020139362.tif 000012
【図１１】
2020139362.tif 000013
【図１２】
2020139362.tif 000014
【図１３】
2020139362.tif 000015
【図１４】
2020139362.tif 000016
【図１５】
2020139362.tif 000017
【図１６】
2020139362.tif 000018
【図１７】
2020139362.tif 000019
【図１８】
2020139362.tif 000020
【図１９】
2020139362.tif 000021
【図２０】
2020139362.tif 000022
【図２１】
2020139362.tif 000023
【図２２】
2020139362.tif 000024
【図２３】
2020139362.tif 000025
【図２４】
2020139362.tif 000026
【図２５】
2020139362.tif 000027
【図２６】
2020139362.tif 000028
【図２７】
2020139362.tif 000029